(57)【要約】  【課題】  貯蔵室内の温度を均一にして省電力化を図ることのできる冷蔵庫を提供する。  【解決手段】  開閉扉４の背面に配されるドアライナー３４にドアポケット１８を設置する設置部１６を突設し、設置部１６に切欠き部１６ａを形成することによって設置部１６の前端１６ｂとドアポケット１８の先端１８ａとの隙間によりドアポケット１８の上下を連通させる連通路３０を形成する。ドアポケット１８に貯蔵物Ｗを収納すると、冷凍室２の背面から吐出される冷気は前方へ流通し、貯蔵物Ｗの前方を降下してドアポケットの下方に導かれる。これにより、貯蔵物Ｗを前面から冷却するとともに開閉扉４の背面に冷気による断熱壁が形成される。【選択図】      図６
2005147493.tif 000002
【特許請求の範囲】
【請求項１】
貯蔵室の前面を開閉する扉と、前記扉に取り付けられるとともに貯蔵物を収納するドアポケットとを備え、前記ドアポケットの上方と下方とを連通する連通路を前記扉の背面に設けたことを特徴とする冷蔵庫。
【請求項２】
前記扉は前記ドアポケットを設置する設置部が背面の水平方向に延びて突設され、前記連通路は前記設置部の一部を切り欠いた切欠き部から成ることを特徴とする請求項１に記載の冷蔵庫。
【請求項３】
前記切欠き部によって前記設置部は水平方向の両端部及び中央部が突出することを特徴とする請求項３に記載の冷蔵庫。
【請求項４】
前記扉は前記ドアポケットを設置する設置部が背面の水平方向に延びて突設され、前記連通路は前記設置部に形成した貫通孔から成ることを特徴とする請求項１に記載の冷蔵庫。
【請求項５】
前記扉は前記ドアポケットを設置する設置部が背面の水平方向に延びて突設され、前記扉に設けられるとともに前記設置部が跨設される凹部により前記連通路を形成したことを特徴とする請求項１に記載の冷蔵庫。
【請求項６】
垂直方向に延びて前記扉の背面に凹設される複数の溝部を設けたことを特徴とする請求項１〜請求項５のいずれかに記載の冷蔵庫。
【請求項７】
前記ドアポケットの底面に前後方向に延びて突設される複数のリブを設けたことを特徴とする請求項１〜請求項６のいずれかに記載の冷蔵庫。
【発明の詳細な説明】
【技術分野】
【０００１】
本発明は、貯蔵室の前面を開閉する扉の背面側に貯蔵物を収納するドアポケットを有した冷蔵庫に関する。
【背景技術】
【０００２】
ドアポケットを有する従来の冷蔵庫は特許文献１に開示されている。この冷蔵庫は貯蔵室の前面を開閉する扉にドアポケットが取り付けられ、ドアポケットの底面には貫通孔が設けられている。貯蔵室の背面から吐出される冷気は貯蔵物を載置する棚の間を前方に流通し、ドアポケットの貫通孔を介して降下して貯蔵室内を循環する。これにより、ドアポケット内に収納された貯蔵物を充分冷却できるとともに貯蔵室内の温度分布を均一にできるようになっている。
【特許文献１】特開２００２−２２８３３０号公報（第３頁−第４頁、第１図）
【発明の開示】
【発明が解決しようとする課題】
【０００３】
しかしながら、上記従来の冷蔵庫によると、ドアポケットに貯蔵物を収納すると貫通孔が塞がれて貯蔵室の前面側を流通する冷気が減少する。このため、ドアポケット内の貯蔵物が冷却不足になるとともに、扉を介して侵入する外部の熱を充分遮断することができず貯蔵室内の温度分布が不均一になる。このため、貯蔵室全体を所望温度にするために冷凍サイクルの運転時間を長くする必要があり、消費電力が増加する問題があった。
【０００４】
本発明は、貯蔵室内の温度を均一にして省電力化を図ることのできる冷蔵庫を提供することを目的とする。
【課題を解決するための手段】
【０００５】
上記目的を達成するために本発明は、貯蔵室の前面を開閉する扉と、前記扉に取り付けられるとともに貯蔵物を収納するドアポケットとを備え、前記ドアポケットの上方と下方とを連通する連通路を前記扉の背面に設けたことを特徴としている。この構成によると、貯蔵室に吐出される冷気は貯蔵室の前面方向に流通してドアポケットの上方に到達する。該冷気はドアポケット内の貯蔵物の前面を降下して貯蔵物を冷却するとともに連通路を介してドアポケットの下方に導かれて貯蔵室内を循環する。ドアポケットを上下方向に複数設けてもよい。
【０００６】
また本発明は、上記構成の冷蔵庫において、前記扉は前記ドアポケットを設置する設置部が背面の水平方向に延びて突設され、前記連通路は前記設置部の一部を切り欠いた切欠き部から成ることを特徴としている。この構成によると、扉の背面には設置部が水平に延びて設けられ、ドアポケットは係合爪の係合等によって設置部に設置される。設置部を切欠いた切欠き部によって切欠き部の前端とドアポケットの前端との間には隙間が形成される。ドアポケットの上方に到達した冷気は該隙間から成る連通路を介してドアポケットの下方に導かれて貯蔵室内を循環する。
【０００７】
切欠き部により両端部及び中央部が突出されるように設置部を形成するとより望ましい。また設置部に設けた貫通孔により連通路を形成してもよい。設置部が跨設されるように扉背面に形成される凹部により連通路を形成してもよい。
【０００８】
また本発明は、上記構成の冷蔵庫において、垂直方向に延びて前記扉の背面に凹設される複数の溝部を設けたことを特徴としている。この構成によると、ドアポケットの上方に到達した冷気は貯蔵物の前面側の溝部を流通して降下する。
【０００９】
また本発明は、上記構成の冷蔵庫において、前記ドアポケットの底面に前後方向に延びて突設される複数のリブを設けたことを特徴としている。この構成によると、ドアポケットの上方に到達した冷気の一部は貯蔵物の背面側を降下し、下方のリブの間を前方へ流通して連通路に導かれる。
【発明の効果】
【００１０】
本発明によると、ドアポケットの上方と下方とを連通する連通路を扉の背面に設けたので、ドアポケット内に貯蔵物を収納しても連通路が塞がれない。従って、ドアポケット内に収納された貯蔵物を充分冷却できる。また、扉に沿って冷気による断熱壁を形成して外部から侵入する熱を遮断し、貯蔵室内の温度分布を均一にして省電力化を図ることができる。
【００１１】
また本発明によると、扉と一体の設置部に設けられた切欠き部や貫通孔により連通路を容易に形成することができる。また、切欠き部により両端部及び中央部が突出されるように設置部を形成すると、扉の成形加工時の変形を抑制できるとともにドアポケットを支持する充分な強度を確保することができる。
【００１２】
また本発明によると、設置部が跨設されるように扉背面に形成される凹部により容易に連通路を形成することができる。また、ドアポケットに収納される貯蔵物が扉背面に当接しても連通路が塞がることがなく、より省電力化を図ることができる。
【００１３】
また本発明によると、扉の背面に垂直方向に延びて凹設される溝部を設けたので、ドアポケットに収納される貯蔵物が扉背面に当接しても貯蔵物の前面側に冷気を流通させて貯蔵物を充分冷却できる。
【００１４】
また本発明によると、ドアポケットの底面に前後方向に延びて突設されるリブを設けたので、ドアポケット内の貯蔵物を全面から冷却して冷却速度を向上することができる。
【発明を実施するための最良の形態】
【００１５】
以下に本発明の実施形態を図面を参照して説明する。図１は第１実施形態の冷蔵庫を示す斜視図である。冷蔵庫１は上部に冷凍室２が配され、断熱壁１０（図４参照）を介して下部に冷蔵室３が配されている。冷凍室２及び冷蔵室３の前面はそれぞれ開閉扉４、５で覆われ、取っ手４ａ、５ａを把持して開閉扉４、５を開閉可能になっている。
【００１６】
図２、図３は冷凍室２の開閉扉４の詳細を示す正面図及び側面図である。開閉扉４は前面側及び背面側がそれぞれ樹脂成形品から成るドアプレート３１及びドアライナー３４により覆われる。ドアプレート３１とドアライナー３４との間にはウレタン発泡剤から成る断熱材（不図示）が充填され、上下をドアキャップ３２、３３で閉塞されている。尚、冷蔵室３の開閉扉５も同様の構成になっている。
【００１７】
図４は冷蔵庫１の側面断面図を示している。冷凍室２の背後には上部ダクト６が設けられ、上部ダクト６内には冷却器８及び送風機７が配されている。冷却器８は冷蔵室３の後方に配された圧縮機９に接続される。圧縮機９の駆動によって冷却器８は冷凍サイクルの低温側となり、送風機７の駆動により上部ダクト６内を流通する空気と熱交換して冷凍室２内に冷気が吐出される。
【００１８】
冷凍室２には貯蔵物を載置する棚１４が設けられている。冷凍室２内に上部から吐出された冷気は棚１４に導かれて前方へ流通し、断熱壁１０に設けられた戻り通路１１を介して上部ダクト６に戻る。これにより、冷凍室２内を冷気が循環する。
【００１９】
また、冷蔵室３の背後には上部ダクト６に連通した下部ダクト１２が設けられ、送風機７の駆動によって下部ダクト１２から冷蔵室３内に冷気が吐出される。冷蔵室３内には貯蔵物を載置する複数の棚１５が設けられている。冷蔵室３に吐出された冷気は棚１５に導かれて前方へ流通し、断熱壁１０に設けられた戻り通路１３を介して上部ダクト６に戻る。これにより、冷蔵室３内を冷気が循環する。
【００２０】
開閉扉４の背面側にはドアポケット１８、１９が取り付けられている。ドアポケット１８、１９には係合孔（不図示）が形成され、ドアライナー３４（図３参照）に水平方向に延びて突設された設置部１６、１７には係合爪（不図示）が形成されている。係合孔と係合爪とが係合してドアポケット１８、１９が設置部１６、１７上に設置されている。
【００２１】
また、開閉扉５の背面側には複数のドアポケット２３〜２６が取り付けられる。ドアポケット２３、２４は開閉扉５の背面に掛着され、ドアポケット２５、２６は上記と同様にドアライナー（不図示）に突設された設置部２１、２２に設置されている。
【００２２】
図５、図６はドアポケット１８及び設置部１６の側面断面図及び上面図を示している。設置部１６には水平方向の両端部と中央部を残すように切欠いた切欠き部１６ａが設けられる。設置部１６の両端部と中央部を突出して残すことによってドアライナー３４の成形加工時の変形を抑制できるとともにドアポケット１８を支持する充分な強度を確保することができる。
【００２３】
設置部１６にドアポケット１８を設置すると、ドアポケット１８の前端１８ａと切欠き部１６ａの前端１６ｂとの隙間から成る連通路３０が形成される。連通路３０によりドアポケット１８の上方と下方とが連通されている。尚、連通路３０の奥行Ｄは５〜１５ｍｍになっている。
【００２４】
棚１４（図１参照）の上方を前方方向へ流通してドアポケット１８の上方に到達した冷気は、矢印Ａ１に示すようにドアライナー３４に沿って貯蔵物Ｗの前方を降下し、連通路３０を介してドアポケット１８の下方に導かれる。これにより、ドアポケット１８内に貯蔵物Ｗを収納しても開閉扉４に沿って冷気を流通させることができる。
【００２５】
従って、ドアポケット１８内に収納された貯蔵物Ｗを充分冷却できる。また、開閉扉４に沿って冷気による断熱壁を形成して外部から侵入する熱を遮断し、冷凍室２内の温度分布を均一にして省電力化を図ることができる。切欠き部１６ａに替えて設置部１６に設けた貫通孔により連通路３０を形成してもよい。尚、貯蔵物Ｗが大きい場合は連通路３０が塞がれる。しかしながら、連通路３０はドアポケット１８よりも前方の開閉扉４の背面に形成されるため通常の大きさの貯蔵物では塞がれず、閉塞される機会を少なくすることができる。
【００２６】
図７はドアポケット１８及び設置部１６の正面図を示している。ドアポケット１８の底面には前後に延びる複数のリブ１８ｂが突設されている。これにより、ドアポケット１８の上方に到達した冷気の一部は矢印Ａ３（図５参照）に示すように貯蔵物Ｗの後方を降下し、リブ１８ｂ間を前方に流通して連通路３０から下方に導かれる。従って、ドアポケット１８内の貯蔵物Ｗを全面から冷却して冷却速度を向上することができる。
【００２７】
図８及び表１は本実施形態の冷蔵庫１の冷凍室２内における冷気の流れをシミュレーションにより解析した結果を示している。図８においてＷ１、Ｗ２はそれぞれドアポケット１６、１７に収納された貯蔵物を示し、Ｗ３、Ｗ４はそれぞれ棚１４及び冷凍室２底面に載置された貯蔵物を示している。また、図８においてベクトルの向き及び大きさは各測定点Ｅ１〜Ｅ８の風向及び風速を表わしており、表１は測定点Ｅ１〜Ｅ８の風速（単位：ｍ／ｓｅｃ）を表わしている。比較のため、同表及び図９に連通路３０が設けられない場合の解析結果を示す。
【００２８】
【表１】
2005147493.tif 000003
これらによると、比較例では貯蔵物Ｗ１、Ｗ２の前方に冷気が殆ど流通しない。これに対して本実施形態はドアポケット１６の貯蔵物Ｗ１の前方を冷気が流通するとともに、連通路３０を介してドアポケット１７の貯蔵物Ｗ２の前方にも冷気が流通する。従って、貯蔵物Ｗ１、Ｗ２が充分冷却されるとともに、開閉扉４の背面に冷気による断熱壁が形成されている。
【００２９】
また、図１０はこの状態の貯蔵物Ｗ１〜Ｗ４の温度分布をシミュレーションにより解析した結果を示している。図中の数値は温度（単位：℃）である。比較のため、図１１に連通路３０が設けられない場合の解析結果を示す。これらの図によると、本実施形態は比較例よりも温度分布が均一化され、冷却温度が低くなっている。
【００３０】
次に、図１２は第２実施形態の冷蔵庫１のドアポケット１８及び設置部１６の上面図を示している。説明の便宜上、前述の図１〜図７に示す第１実施形態と同一の部分は同一の符号を付している。本実施形態は第１実施形態に対してドアライナー３４の形状が異なっている。その他の部分は第１実施形態と同一である。
【００３１】
開閉扉４の背面側に配されるドアライナー３４には垂直方向に延びる複数の溝部３４ａが並設されている。このため、大きな貯蔵物Ｗがドアポケット１８に収納され、貯蔵物Ｗがドアライナー３４に当接しても溝部３４ａにより貯蔵物Ｗの前方に冷気を流通させることができる。従って、ドアライナー３４に当接するような大きな貯蔵物Ｗでも充分冷却することができる。
【００３２】
また、図１３に示すように、ドアポケット１８の底面奥部に貯蔵物Ｗを係止するストッパ１８ｃを設けるとより望ましい。このようにすると、ストッパ１８ｃを乗り上げてドアライナー３４に貯蔵物Ｗが当接すると、溝部３４ａを流通する冷気が矢印Ａ４に示すように貯蔵物Ｗの下方を通過して連通路３０に導かれる。各溝部３４ａを連結する水平方向の溝をドアライナー３４に設けてもよい。
【００３３】
次に、図１４は第３実施形態の冷蔵庫１のドアライナー３４を示す斜視図である。説明の便宜上、前述の図１〜図７に示す第１実施形態と同一の部分は同一の符号を付している。本実施形態は第１実施形態に対してドアライナー３４の形状が異なっている。その他の部分は第１実施形態と同一である。
【００３４】
本実施形態は、ドアライナー３４に突設される設置部１６の切欠き部１６ａが設置部１６の両端に設けられる。設置部１６にドアポケット１８を設置すると、両端の切欠き部１６ａによりドアポケット１８の上下を連通させる連通路３０が形成される。このため、図１５に示すように、ドアポケット１８の上方に到達した冷気は貯蔵物Ｗの前面を通り、矢印Ｂ１に示すように連通路３０を介してドアポケット１８の下方に導かれる。これにより、第１実施形態と同様の効果を得ることができる。
【００３５】
次に、図１６は第４実施形態の冷蔵庫１のドアライナー３４を示す斜視図である。説明の便宜上、前述の図１〜図７に示す第１実施形態と同一の部分は同一の符号を付している。本実施形態は第１実施形態に対してドアライナー３４の形状が異なっている。その他の部分は第１実施形態と同一である。
【００３６】
本実施形態は、ドアライナー３４に凹部３４ｂが形成され、凹部３４ｂに設置部１６が跨設されている。設置部１６にドアポケット１８を設置すると、凹部３４ｂによりドアポケット１８の上下を連通させる連通路３０が形成される。このため、図１７に示すように、ドアポケット１８の上方に到達した冷気は貯蔵物Ｗの前面を通り、矢印Ｂ２に示すように連通路３０を介してドアポケット１８の下方に導かれる。これにより、第１実施形態と同様の効果を得ることができる。更に、ドアポケット１８に収納される貯蔵物Ｗがドアライナー３４に当接しても連通路３０が塞がることがなく、より省電力化を図ることができる。
【００３７】
第１〜第４実施形態において、冷凍室２のドアポケット１８について説明しているが、冷凍室２により多くのドアポケットを設けた場合も各ドアポケットを同様に構成することができる。また、冷蔵室３に設けられるドアポケット２３〜２６についても同様に構成することによって同様の効果を得ることができる。
【図面の簡単な説明】
【００３８】
【図１】は、本発明の第１実施形態の冷蔵庫を示す斜視図である。
【図２】は、本発明の第１実施形態の冷蔵庫の冷凍室の開閉扉を示す正面図である。
【図３】は、本発明の第１実施形態の冷蔵庫の冷凍室の開閉扉を示す側面図である。
【図４】は、本発明の第１実施形態の冷蔵庫を示す側面断面図である。
【図５】は、本発明の第１実施形態の冷蔵庫のドアポケット及び設置部を示す側面断面図である。
【図６】は、本発明の第１実施形態の冷蔵庫のドアポケット及び設置部を示す上面図である。
【図７】は、本発明の第１実施形態の冷蔵庫のドアポケット及び設置部を示す正面図である。
【図８】は、本発明の第１実施形態の冷蔵庫の冷気の流れの解析結果を示す図である。
【図９】は、本発明の第１実施形態の冷蔵庫の冷気の流れを比較する比較例の解析結果を示す図である。
【図１０】は、本発明の第１実施形態の冷蔵庫の冷凍室の温度分布の解析結果を示す図である。
【図１１】は、本発明の第１実施形態の冷蔵庫の冷凍室の温度分布を比較する比較例の解析結果を示す図である。
【図１２】は、本発明の第２実施形態の冷蔵庫のドアポケット及び設置部を示す上面図である。
【図１３】は、本発明の第２実施形態の冷蔵庫のドアポケット及び設置部を示す側面断面図である。
【図１４】は、本発明の第３実施形態の冷蔵庫のドアライナーを示す斜視図である。
【図１５】は、本発明の第３実施形態の冷蔵庫のドアライナーを示す側面断面図である。
【図１６】は、本発明の第４実施形態の冷蔵庫のドアライナーを示す斜視図である。
【図１７】は、本発明の第４実施形態の冷蔵庫のドアライナーを示す側面断面図である。
【符号の説明】
【００３９】
１    冷蔵庫
２    冷凍室
３    冷蔵室
４、５  開閉扉
７    送風機
８    冷却器
９    圧縮機
１６、１７、２１、２２  設置部
１６ａ  切欠き部
１８、１９、２３〜２６  ドアポケット
１８ｂ  リブ
１８ｃ  ストッパ
３０    連通路
３４    ドアライナー
３４ａ  溝部
３４ｂ  凹部
Ｗ、Ｗ１〜Ｗ４  貯蔵物
【図１】
2005147493.tif 000004
【図２】
2005147493.tif 000005
【図３】
2005147493.tif 000006
【図４】
2005147493.tif 000007
【図５】
2005147493.tif 000008
【図６】
2005147493.tif 000009
【図７】
2005147493.tif 000010
【図８】
2005147493.tif 000011
【図９】
2005147493.tif 000012
【図１０】
2005147493.tif 000013
【図１１】
2005147493.tif 000014
【図１２】
2005147493.tif 000015
【図１３】
2005147493.tif 000016
【図１４】
2005147493.tif 000017
【図１５】
2005147493.tif 000018
【図１６】
2005147493.tif 000019
【図１７】
2005147493.tif 000020